(57)【要約】【課題】円滑なシート材の取出しを可能にするとともに、スチレン臭等の悪臭が放散されるのを有効に防止できるシート材取出し容器を提供することを目的とする。【解決手段】つづら折り状に折り畳まれて格納されたシート材１を折畳み面に対して略直交方向に取り出すように構成したシート材取出し容器１１において、該容器１１の取出し面に前記シート材１の表裏をガイドするガイド部材１４を前記シート材１の折畳み面と略平行にスライド自在に設置したことを特徴とするもので、容器１１内に最も効率的に最大量を満たすことができるつづら折り状に折り畳まれて格納されたシート材１を鉛直方向に円滑に変換して取り出すことが可能となる。【選択図】　図２
2004067129.tif 000002
【特許請求の範囲】
【請求項１】
つづら折り状に折り畳まれて格納されたシート材を折畳み面に対して略直交方向に取り出すように構成したシート材取出し容器において、該容器の取出し面に前記シート材の表裏をガイドするガイド部材を前記シート材の折畳み面と略平行にスライド自在に設置したことを特徴とするシート材取出し容器。
【請求項２】
前記容器の取出し面の両側に、始端部がそれぞれ前記ガイド部材に係止され基端部が巻取り勝手に巻き取られるカバー部材を収納したカバー巻取り部材を設置したことを特徴とする請求項１に記載のシート材取出し容器。
【請求項３】
前記ガイド部材に係止されるカバー部材の始端部が、ガイド部材の支持枠にワンタッチにて係止可能に構成されたことを特徴とする請求項１または２に記載のシート材取出し容器。
【請求項４】
前記カバー部材あるいは容器に脱臭機能を付与したことを特徴とする請求項２または３に記載のシート材取出し容器。
【発明の詳細な説明】
【０００１】
【発明の属する技術分野】
本発明は、つづら折り状に折り畳まれて格納されたシート材を折畳み面に対して略直交方向に取り出すように構成したシート材取出し容器に関する。好適には、ＦＲＰ等の成形に用いられるＳＭＣ（シートモールディングコンパウンド）の秤量を伴うシート材の搬送、裁断装置におけるシート材取出し容器に適用されるが、シート材取出し容器一般にも適用可能である。
【０００２】
【従来の技術】
ユニットバス等のＦＲＰ製品を製造するには、未加硫シート状のＳＭＣを所定の長さに裁断した上で金型に積層・装填し、加硫を伴うプレス成形によってなされる。通常、ＳＭＣシート材は、シート本体を構成するフェノール樹脂やメラミン樹脂あるいは不飽和ポリエステル等の熱硬化性の成形材料とガラス繊維の混在した未加硫でべとつくＳＭＣ材料と、該ＳＭＣ材料のシート本体を成形に供するまでの運搬時や保存時にシート本体への塵埃の付着、水分の浸透あるいは熱劣化等を防止するために、シート本体の表裏に貼着されるポリフィルム（ポリプロピレンやポリエチレンからなるシート状物）等の保護のための剥離フィルムとから構成される。一方、ＳＭＣ等のシート材は、成形のための金型への装填の際には、所定の一定の長さに裁断されたものを、複数枚を積層して重量調整をする必要があった、その際、ＳＭＣ等のシート材の強度の確保のために、シートの方向性を考慮して交互積層が要求される。
【０００３】
【発明が解決しようとする課題】
このように、シート本体を所定の一定の長さに裁断するには、円滑なシート材の搬送を確保するために、シート本体から剥離フィルムを適正かつ円滑に剥離することは言うまでもないが、同時に、容器内に最も効率的に最大量を満たすことができるつづら折り状に折り畳まれて格納されたシート材をシート材格納ボックスから滞ることなく円滑に取り出す必要があった。また、前述したように、ＳＭＣ材料のシート本体の表裏に貼着された剥離フィルムであるポリフィルムはガス透過率が大きく、シート材格納ボックスから取り出す際に、ＳＭＣ材料中に含まれるスチレン成分が剥離フィルムを通じて大量に放出されて悪臭が充満する事態を招いており、環境、安全、衛生面から悪臭の解消対策も講じられる必要があった。
【０００４】
そこで本発明は、円滑なシート材の取出しを可能にするとともに、スチレン臭等の悪臭が放散されるのを有効に防止できるシート材取出し容器を提供することを目的とする。
【０００５】
【課題を解決するための手段】
このため本発明は、つづら折り状に折り畳まれて格納されたシート材を折畳み面に対して略直交方向に取り出すように構成したシート材取出し容器において、該容器の取出し面に前記シート材の表裏をガイドするガイド部材を前記シート材の折畳み面と略平行にスライド自在に設置したことを特徴とする。また本発明は、前記容器の取出し面の両側に、始端部がそれぞれ前記ガイド部材に係止され基端部が巻取り勝手に巻き取られるカバー部材を収納したカバー巻取り部材を設置したことを特徴とする。また本発明は、前記ガイド部材に係止されるカバー部材の始端部が、ガイド部材の支持枠にワンタッチにて係止可能に構成されたことを特徴とする。また本発明は、前記カバー部材あるいは容器に脱臭機能を付与したことを特徴とするもので、これらを課題解決のための手段とするものである。
【０００６】
【実施の形態】
以下、本発明のシート材取出し容器の実施の形態を図面に基づいて詳細に説明する。図１〜図４は本発明のシート材取出し容器の１つの実施の形態を示すもので、図１はシート材取出し容器の全体斜視図、図２は側断面図、図３はシート材の搬送、裁断装置の全体側面図、図４は要部斜視図である。本発明の基本的な構成は、図１に示すように、つづら折り状に折り畳まれて格納されたシート材１を折畳み面に対して略直交方向に取り出すように構成したシート材取出し容器１１において、該容器１１の取出し面に前記シート材１の表裏をガイドするガイド部材１４を前記シート材１の折畳み面と略平行にスライド自在に設置したことを特徴とする。
【０００７】
以下に詳述する。先ず、本発明のシート材取出し容器１１が設置されるシート材搬送、裁断装置について説明すると、図３において、装置右側のシート材取出し部１０では、折り畳まれて格納されたシート材１が、表裏に剥離フィルムが貼着された状態のままシート材格納ボックス１１から略鉛直に取り出される。シート材格納ボックス１１から取り出されたシート材１は、ガイドローラ等により略水平方向に転向されて、シート本体２の表裏の剥離フィルム３、４を剥離すべくフィルム剥離部２０に搬送される。フィルム剥離部２０は、剥離部台枠２１内に設置されたエアーモータ２４と、該エアーモータ２４により駆動チェーン２５を介して駆動される一対の巻取りドラム２３Ａ、２３Ｂと、シート本体２の表裏の剥離フィルム３、４を剥離しつつガイドする上下一対のフィルムガイドローラ２２Ａ、２２Ｂとから構成される。
【０００８】
前記シート本体２の表裏から剥離される剥離フィルム３、４がドラム２３Ａ、２３Ｂに巻き取られることによってシート材１の搬送駆動力が得られる。前記エアーモータ２４により駆動される一対の巻取りドラム２３Ａ、２３Ｂは、これらに懸回された同期チェーン２６により同期回転する。エアーモータ２４は、床面に設置された足踏みスイッチ５の踏動により、適宜の圧力源からのエアーの供給を受けて駆動され、足踏みの開放で停止する。フィルム剥離部２０にて表裏の剥離フィルム３、４が剥離され、これらの剥離フィルムが上下一対の巻取りドラム２３Ａ、２３Ｂに巻き取られたシート本体２は、所定の一定の長さに裁断されて交互積層され、製品の成形時に、金型等に装填するのに必要な成形単位となる所定の重量が秤量されるシート裁断・秤量部３０に搬送される。なお、フィルム剥離部２０における符号６は巻取りドラム２３Ａにて巻き取られた剥離フィルムを巻芯から取り外したものを受ける上部巻取りフィルム受台を示し、符号７は巻取りドラム２３Ｂにて巻き取られた剥離フィルムを巻芯から取り外したものを受ける下部巻取りフィルム受台を示す。
【０００９】
シート裁断・秤量部３０は、秤量部台枠３１上に秤量器３２を搭載した秤量部と、剥離フィルム３、４が剥離されたシート本体２を所定の長さに裁断するためのカッター等からなる裁断部２９（フィルム剥離部２０の最後に位置する）と、秤量器３２上におけるシート本体２の先端位置に設置された裁断寸法位置決めバー３３とから構成される。裁断寸法位置決めバー３３は、前記足踏みスイッチ５の踏動により圧力源からエアーモータ２４へのエアーの供給に連動して、伸張する図示省略の作動シリンダによって支軸３４を軸心として倒伏され、エアーの供給の遮断により後退する作動シリンダによって起立される。
【００１０】
したがって、足踏みスイッチ５の踏動によりシート本体２の搬送が開始されると同時に、裁断寸法位置決めバー３３が秤量器３２上に倒伏してシート本体２の進路を断ち、シート本体２を所定の一定の長さに裁断すべく先端の位置決めがなされる。シート本体２の先端が裁断寸法位置決めバー３３に当接すると、後端が裁断部２９にてカッター等により裁断される。カッター等による裁断は、シート本体２の裁断寸法位置決めバー３３への当接の検出と同時になされてもよいが、シート本体２の先端の裁断寸法位置決めバー３３への当接の検出によって、先ずエアーの供給を停止させ、シート本体２の搬送を停止させておいて裁断を行った後（タイマー回路等により）に裁断寸法位置決めバー３３を起立させるように構成してもよい。または、やや熟練を要するものの、足踏みスイッチ５の踏動の開放による、シート本体２の搬送の停止と裁断寸法位置決めバー３３の起立および裁断時期との調整をスイッチ動作により行うようにしてもよい。
【００１１】
好適には、前記フィルム剥離部２０において、シート本体２の表裏から剥離フィルム３、４を剥離しつつガイドするガイドローラ２２の幅を、剥離フィルム３、４の幅より小さく構成したシート本体２よりさらに幅を小さく構成される。このような構成によって、剥離フィルム３、４の幅端部にテンションが掛かることが防止されて、スチレンやシート本体２の成分が剥離してガイドローラ２２を汚損させたり、剥離した成分が剥離フィルム３、４とともにフィルム巻取りドラム２３に巻き付いて巻芯が抜けにくくなることが防止される。また、剥離フィルム３、４の幅端部がシート本体２側にめくれた不良部が存在したとしても、ガイドローラ２２がこれを潰して剥離フィルム３、４の剥離を妨げる事態を発生させるようなことが防止される。
【００１２】
以上のように、シート材取出し部１０から取り出されたシート材１は、フィルム剥離部２０にて、ガイドローラにより幅端部に集中することなく比較的均等で適度のテンションにてガイドされつつ適正に剥離フィルム３、４が剥離されて巻取りドラムに巻き取られるので、シート本体２を円滑に裁断部に搬送することができる。そして、裁断寸法位置決めバー３３の動作によって、シート本体２をシート裁断・秤量部３０にて精度よく所定の一定の長さに裁断し、これらを交互積層して、製品の成形時に金型等に装填するのに必要な成形単位となる所定の重量を秤量することができる。しかも、所定の一定の長さに裁断されたシート本体２の裁断片を交互積層するに際して、積層作業の間は裁断寸法位置決めバー３３を上方へ起立させておくことができて作業がし易い。
【００１３】
本発明の最も特徴的な構成であるシート材取出し容器１１について説明する。図２に示すように、シート材取出し容器１１内につづら折り状に折り畳まれて格納されたシート材１は、折畳み面に対して略直交方向に取り出される。シート材取出し容器１１の取出し面（容器１１の開放天井部）には、前記シート材１の表裏をガイドするガイド部材１４が前記シート材１の折畳み面（略水平状の図面左右方向）と略平行にスライド自在に設置される。ガイド部材１４における左右の支持枠１５Ａ、１５Ｂには、シート部材１の表裏を転動しつつこれをガイドする左右一対のガイドローラ１４Ａ、１４Ｂが回転自在に軸支される。前記シート材取出し容器１１の取出し面の両側には、始端部がそれぞれ前記ガイド部材１４の支持枠１５Ａ、１５Ｂに係止され、基端部が巻取りばね等により巻取り勝手に巻き取られるカバー部材１３Ａ、１３Ｂを収納した左右一対のカバー巻取り部材１２Ａ、１２Ｂが設置される。カバー部材１３Ａ、１３Ｂには、スチレンガスが透過しない軽量のナイロンシート等が採用される。
【００１４】
図１および図２にて理解されるように、シート部材１を白矢印のように略鉛直方向に取り出していくことにより、略水平状のつづら折り状に折り畳まれたシート材１の鉛直方向への変換に伴って、ガイド部材１４が容器１１の取出し面上を黒矢印のように左右方向にスライドするものである。ガイドローラ１４Ａ、１４Ｂは容器１１の取出し面の縁部上を転動する。このとき、ガイド部材１４における支持枠１５Ａ、１５Ｂに始端部がそれぞれ係止されたカバー部材１３Ａ、１３Ｂは、適宜、カバー巻取り部材１２Ａ、１２Ｂにおける巻取り・巻戻しを繰り返しつつ、常時、容器の取出し面をカバーしつつ閉塞して悪臭の放散を防止することができる。ガイド部材１４における支持枠１５Ａ、１５Ｂのシート材取出し容器１１に対するスライド自在な設置は、シート材取出し容器１１の取出し面の縁部に適宜形成されたフランジ部等への係合によってなされる。また、前記カバー部材１３には脱臭剤を埋設して悪臭の放散をさらに効果的に抑制するように構成することもできる。脱臭剤のカバー部材１３への埋設に代えて、シート材取出し容器１１の側壁等に交換可能な脱臭剤の収納部を設置してもよい。あるいはカバー部材１３および容器１１の両方に脱臭機能を付与してもよい。
【００１５】
図４はカバー部材とガイド部材との係止形態例（図示の例は左側のみを示すが、右側についても同様である）を示す要部斜視図である。ガイド部材１４に係止されるカバー部材１３の始端部が、ガイド部材１４の支持枠１５にワンタッチにて係止可能に構成された例である。図４（Ａ）はカバー部材１３Ａの始端部に縫い付けられた始端部棒部材１７を、ガイド部材１４における支持枠１５Ａに刻設された係止溝１６に圧入固定される例である。図４（Ｂ）はカバー部材１３Ａの始端部の下面に植設された複数のホック爪１９を、ガイド部材１４における支持枠１５Ａの上面の対応部位に刻設された複数のホック溝１８に圧入固定される例である。以上の構成によって、カバー部材１３始端部のガイド部材１４へのワンタッチによる簡便な脱着によって、容易にシート材１をシート材取出し容器１１内に格納できるとともに、悪臭の効果的な放散防止が可能となる。そして、ガイドローラ１４Ａ、１４Ｂは容器１１の取出し面の縁部上を転動するため、ガイドローラ１４Ａ、１４Ｂにてシート部材１が引き出されると、ガイド部材１４は容易に移動して持ち上がらず、ガイドローラ１４Ａ、１４Ｂにも負荷が掛からないので、軽量化が可能となる。
【００１６】
以上、本発明の実施の形態について詳述したが、本発明の趣旨の範囲内で、シート本体および剥離フィルムの形状、材質（ＳＭＣシートの場合のガラス繊維と熱硬化性の成形材料とガラス繊維の混在形態の他、適宜の材質の未加硫シート本体等に適用可能である）、シート材のシート材取出し容器内での格納形態、支持枠の形状およびそのガイドローラの軸支形態を含むガイド部材の形状、形式およびそのシート材取出し容器におけるスライド形態、脱臭剤の埋設形態を含むカバー部材の形状、形式および材質ならびにそのカバー巻取り部材内における巻取り形態、カバー部材のガイド部材への係止形態、フィルム剥離部におけるガイドローラおよび巻取りドラムの形状、形式（単胴巻芯への巻取りの他、複数の巻芯を組み合わせた多胴巻芯への巻取り形式等）および剥離フィルムの始端部の巻取りドラムへの係止形態（手指による係止部への係止あるいは接着等の手段にて適宜係止してもよい）等については適宜採用することができる。
【００１７】
また、シート材の搬送形態（巻取りドラムはエアー圧を駆動源とするエアーモータにより駆動されるものを好適とするが、電動モータ、油圧モータ等により駆動されるもの採用可能である）、エアーモータの形状、形式および回転制御形態（供給エアーの圧力値制御あるいは流量制御）ならびにそれらの間の同期回転形態（同期チェーンの懸回の他、電子制御による同期制御であってもよい）、スイッチ手段の形状、形式および配設位置（足踏みスイッチを好適とするが、手動スイッチでもよい）、秤量器の形状、形式、裁断寸法位置決めバーの形状、形式および作動形態（エアーモータへのエアーの一部を受給した作動シリンダによる他、電気的な駆動手段により起伏させてもよい）、裁断部におけるカッター等の形式および裁断形態（シート本体幅と同幅のカッターにより一挙に裁断してもよいし、円板型カッターの幅方向移動により裁断してもよい）、ガイドローラのシート材に対する幅の割合等についても適宜採用できるものである。
【００１８】
【発明の効果】
以上詳細に述べたように、本発明によれば、つづら折り状に折り畳まれて格納されたシート材を折畳み面に対して略直交方向に取り出すように構成したシート材取出し容器において、該容器の取出し面に前記シート材の表裏をガイドするガイド部材を前記シート材の折畳み面と略平行にスライド自在に設置したことにより、容器内に最も効率的に最大量を満たすことができるつづら折り状に折り畳まれて格納されたシート材を鉛直方向に円滑に変換して取り出すことが可能となる。
また、前記容器の取出し面の両側に、始端部がそれぞれ前記ガイド部材に係止され基端部が巻取り勝手に巻き取られるカバー部材を収納したカバー巻取り部材を設置した場合は、シート材の円滑な取出しを可能にするガイド部材のスライドに追随して、カバー部材が容器の取出し面を常に閉塞するので、シート材にスチレン臭等の悪臭を伴う場合であってもその放散を有効に防止できる。
【００１９】
さらに、前記ガイド部材に係止されるカバー部材の始端部が、ガイド部材の支持枠にワンタッチにて係止可能に構成された場合は、カバー部材始端部のガイド部材へのワンタッチによる簡便な脱着によって、容易にシート材をシート材取出し容器内に格納できるとともに、悪臭の効果的な放散防止が可能となる。
さらにまた、前記カバー部材あるいは容器に脱臭機能を付与した場合は、悪臭の放散をさらに効果的に抑制することができる。
かくして、円滑なシート材の取出しを可能にするとともに、スチレン臭等の悪臭が放散されるのを有効に防止できるシート材取出し容器が提供される。
【図面の簡単な説明】
【図１】本発明のシート材取出し容器の１つの実施の形態を示すもので、シート材取出し容器の全体斜視図である。
【図２】同、側断面図である。
【図３】同、本発明のシート材取出し容器が採用されたシート材の搬送、裁断装置の全体側面図である。
【図４】同、カバー部材とガイド部材との係止形態例を示す要部斜視図である。
【符号の説明】
１　　シート材
２　　シート本体
３　　剥離フィルム
４　　剥離フィルム
５　　足踏みスイッチ
６　　上部巻取りフィルム受台
７　　下部巻取りフィルム受台
１０　　シート材取出し部
１１　　シート材取出し容器
１２　　カバー巻取り部材
１２Ａ　左カバー巻取り部材
１２Ｂ　右カバー巻取り部材
１３　　カバー部材
１３Ａ　左カバー部材
１３Ｂ　右カバー部材
１４　　ガイド部材
１４Ａ　左ガイドローラ
１４Ｂ　右ガイドローラ
１５　　支持枠
１５Ａ　左支持枠
１５Ｂ　右支持枠
１６　　係止溝
１７　　始端部棒部材
１８　　ホック溝
１９　　ホック爪
２０　　フィルム剥離部
２１　　剥離部台枠
２２　　フィルムガイドローラ
２２Ａ　上フィルムガイドローラ
２２Ｂ　下フィルムガイドローラ
２３　　フィルム巻取りドラム
２３Ａ　上フィルム巻取りドラム
２３Ｂ　下フィルム巻取りドラム
２４　　エアーモータ
２５　　駆動チェーン
２６　　同期チェーン
２９　　裁断部
３０　　シート裁断・秤量部
３１　　秤量部台枠
３２　　秤量器
３３　　裁断寸法位置決めバー
３４　　支軸
【図１】
2004067129.tif 000003
【図２】
2004067129.tif 000004
【図３】
2004067129.tif 000005
【図４】
2004067129.tif 000006